(57)【要約】      （修正有）【課題】壊れにくく、かつ炎およびそのゆらぎを高精度に再現することのできる照明装置を提供する。【解決手段】略平面形状の上面部２１が透光性の材料により形成された本体部と、本体部内に収容される１つ以上の光源３１と、光源の発光を制御する制御部４と、光源に電力を供給する電源供給部５と、を具備し、制御部は光源の輝度を変化させる。【選択図】図１
0003231150.tif 000002
【実用新案登録請求の範囲】
【請求項１】
略平面形状の上面部が透光性の材料により形成された本体部と、
前記本体部内に収容される１つ以上の光源と、
前記光源の発光を制御する制御部と、
前記光源に電力を供給する電源供給部と、
を具備し、
前記制御部は前記光源の輝度を変化させることを特徴とする照明装置。
【請求項２】
前記光源は複数設けられ、前記制御部は複数の前記光源の輝度を別個に変化させることを特徴とする請求項１に記載の照明装置。
【請求項３】
複数の前記光源は、前記上面部からの距離がそれぞれ異なる位置に設けられていることを特徴とする請求項１に記載の照明装置。
【請求項４】
前記制御部は、前記光源の輝度を１／ｆゆらぎに基づき変化させることを特徴とする請求項１〜３の何れか１項に記載の照明装置。
【請求項５】
前記本体部の表面の少なくとも一部にろうを含むコーティング層が形成されていることを特徴とする請求項１〜４の何れか１項に記載の照明装置。
【請求項６】
前記本体部がろうにより形成されていることを特徴とする請求項１〜４の何れか１項に記載の照明装置。
【請求項７】
前記光源が、発光方向を前記上面部側に向けるように配置された帽子型ＬＥＤであることを特徴とする請求項１〜６の何れか１項に記載の照明装置。
【請求項８】
前記光源は、発光方向を前記上面部側に向けた第１光源と、発光方向を前記上面部側とは反対方向に向けた第２光源とで構成されていることを特徴とする請求項１〜７の何れか１項に記載の照明装置。
【請求項９】
前記光源の周辺部に、発光方向へ光を集光する反射板が設けられていることを特徴とする請求項１〜８の何れか１項に記載の照明装置。
【考案の詳細な説明】
【技術分野】
【０００１】
本考案は、照明装置に関する。
【背景技術】
【０００２】
従来、ろうそくは照明装置や着火用具として広く一般に用いられているが、芯に着火して用いる必要があるため、火災や火傷を誘発する危険がある。しかし、ろうそくの光は色温度が低く、照明として用いる場合に落ち着いた雰囲気を醸し出すことができるため、ろうそくには根強い人気がある。また、こうした落ち着いた雰囲気を連想させる等の理由から、ろうそくはインテリア小物としても人気がある。
【０００３】
そこで、ろうそくの形を模した照明装置であり、電力により発光するろうそく型照明装置が用いられている。こうしたろうそく型照明装置は、電池と、電池により発光する光源と、これらを内蔵するろうそく型の本体部を備えて構成されている。
【０００４】
特に、特許文献１に記載されているろうそく型照明装置は、本体部の先端側が透光性の材料により形成された炎型の形状をしていて、内部の複数の光源から発せられた光がこの炎型の部分から外部に放出されることで、ろうそくを模した照明として機能する。また、複数の発光部がそれぞれ不規則にオンオフ制御されて点滅することにより、ろうそくの炎のゆらぎが再現されている。
【先行技術文献】
【特許文献】
【０００５】
【特許文献１】特開平０９−００７４１１号公報
【考案の概要】
【考案が解決しようとする課題】
【０００６】
しかしながら、上述した従来のろうそく型照明装置では、ろうそくの炎を模した部分の形状が一定であり、また発光部の制御が点滅のみであるため、炎のゆらぎの再現が不十分であった。そのため、炎のゆらぎをより忠実に再現することができないという問題点があった。
【０００７】
また、従来のろうそく型照明装置の先端部は、光を透過させる必要があるため、脆弱な構造となっており、運搬時や設置時等の際に壊れやすいという問題点があった。
【０００８】
そこで、本考案は、上述した問題点に鑑みてなされたものであり、壊れにくく、かつ炎およびそのゆらぎを高精度に再現することのできる照明装置を提供することを目的とする。
【課題を解決するための手段】
【０００９】
上記課題を解決する本考案の第１の態様は、略平面形状の上面部が透光性の材料により形成された本体部と、本体部内に収容される１つ以上の光源と、光源の発光を制御する制御部と、光源に電力を供給する電源供給部と、を具備し、制御部は光源の輝度を変化させることを特徴とする照明装置にある。
【００１０】
ここで、「略平面形状」とは、平面形状だけでなく、平面上に凹凸やテーパ部等が形成されている形状を含むものをいう。また、「透光性の材料」とは、光源の光を透過させることができる性質を有する材料をいい、透明材料や半透明材料（ろう等）を含むものをいう。さらに、「本体部内に収容される」とは、本体部内に完全に収容される状態だけでなく、光源等の一部が本体部の表面に出ている（露出している）状態を含む概念である。
【００１１】
かかる第１の態様では、光源から発せられる光が上面部の上方の空間に発光部を形成させることができる。そして、この発光部の大きさ（輝度）が光源の輝度変化に応じて変化するため、炎のゆらぎを高精度に再現することができる。
【００１２】
また、本態様の照明装置は、従来のもののように本体部の先端側が発光するのではなく、本体部の上方の空間に発光部を形成するものである。したがって、本態様の照明装置は、脆弱な構造の先端部を必要とすることがなく、運搬時や設置時等の際に壊れにくいものとなる。
【００１３】
本考案の第２の態様は、光源は複数設けられ、制御部は複数の光源の輝度を別個に変化させることを特徴とする第１の態様に記載の照明装置にある。
【００１４】
かかる第２の態様では、炎の前後左右のゆらぎを再現することができるので、炎のゆらぎをより高精度に再現することができる。
【００１５】
本考案の第３の態様は、複数の光源は、上面部からの距離がそれぞれ異なる位置に設けられていることを特徴とする第１または第２の態様に記載の照明装置にある。
【００１６】
かかる第３の態様では、炎の上下のゆらぎを再現することができるので、炎のゆらぎをさらに高精度に再現することができる。
【００１７】
本考案の第４の態様は、制御部は、光源の輝度を１／ｆゆらぎに基づき変化させることを特徴とする第１〜第３の何れか１つの態様に記載の照明装置にある。
【００１８】
かかる第４の態様では、１／ｆの炎のゆらぎを再現することができるので、見る者の心理を穏やかにする癒しの効果を奏する。
【００１９】
本考案の第５の態様は、本体部の表面の少なくとも一部にろうを含むコーティング層が形成されていることを特徴とする第１〜第４の何れか１つの態様に記載の照明装置にある。
【００２０】
かかる第５の態様では、ろうそくの手触りや質感を再現することができる。
【００２１】
本考案の第６の態様は、本体部がろうにより形成されていることを特徴とする第１〜第４の何れか１つの態様に記載の照明装置にある。
【００２２】
かかる第６の態様では、ろうそくの手触りや質感に加え、本体部を透過する光の透過具合を高精度に再現することができる。
【００２３】
本考案の第７の態様は、光源が、発光方向を上面部側に向けるように配置された帽子型ＬＥＤであることを特徴とする第１〜第６の何れか１つの態様に記載の照明装置にある。
【００２４】
かかる第７の態様では、光を上面部に効率的に照射することができるので、発光部の輝度を高めることができる。
【００２５】
本考案の第８の態様は、光源は、発光方向を上面部側に向けた第１光源と、発光方向を上面部側とは反対方向に向けた第２光源とで構成されていることを特徴とする第１〜第７の何れか１つの態様に記載の照明装置にある。
【００２６】
かかる第８の態様では、本体部の下面側を発光させることができるので、炎の光が本体部を伝わり、下端部からも放出される様子を再現することができる。
【００２７】
本考案の第９の態様は、光源の周辺部に、発光方向へ光を集光する反射板が設けられていることを特徴とする第１〜第８の何れか１つの態様に記載の照明装置にある。
【００２８】
ここで、「光源の周辺部」とは、光源だけでなく、光源の内部（例えばＬＥＤの内部等）をも含む概念である。
【００２９】
かかる第９の態様では、発光方向に照射される光の輝度を向上させることができる。その結果、上面部の上方の空間に形成される発光部をより鮮明なものとすることができる。
【図面の簡単な説明】
【００３０】
【図１】本考案の実施形態１に係る照明装置の内部構成を示す概略ブロック図である。
【図２】本考案の実施形態１に係る照明装置を示す概略斜視図である。
【図３】本考案の実施形態１に係る照明装置が発光する様子を示す概略斜視図である。
【図４】実施例１の照明装置が発光する様子を示す写真である。
【図５】実施例１の照明装置が発光する様子を示す写真である。
【図６】本考案の実施形態２に係る照明装置の内部構成を示す概略ブロック図である。
【図７】本考案の他の実施形態に係る照明装置を示す概略斜視図である。
【考案を実施するための形態】
【００３１】
以下、添付図面を参照して本考案にかかる照明装置の実施形態を詳細に説明する。なお、本考案は以下の実施形態に限定されるものではない。
（実施形態１）
図１は、本実施形態に係る照明装置の内部構成を示す概略ブロック図である。図２は、本実施形態に係る照明装置を示す概略斜視図である。
【００３２】
図１および図２に示すように、本実施形態に係る照明装置１は、本体部２と、本体部２内にそれぞれ収容される光源部３と、光源部３の発光を制御する制御部４と、光源部３に電源を供給する電源供給部（バッテリー）５と、本体部２の底面に設けられたスイッチ６と、バッテリー５と外部電源とを接続するジャック７とを備えて構成されている。
【００３３】
本体部２は、透光性の樹脂材料により円筒状に形成されていて、上面部２１が平面形状になっている。本体部２は、円筒状の金型内に光源部３、制御部４、バッテリー５、スイッチ６及びジャック７を配置した後、その金型に樹脂を充填することにより形成される。樹脂は、光の透過率がろうと同等なものを用いることが好ましい。なお、本体部２を構成する樹脂材料は、特に限定されず、天然樹脂であっても合成樹脂であってもよい。
【００３４】
なお、本実施形態においては黄色の樹脂が用いられるが、本考案に用いられる樹脂は白色や赤色等、他の色であってもよい。また、本体部２の形状は本実施形態においては円筒状であるが、本考案においてはこれに限定されず、角柱状や樽状等、他の形状であってもよい。ただし、本体部２の上面部２１は、後述する発光部Ｈを形成しやすいように略平面形状であることが好ましく、後述する発光部Ｈをより形成しやすいように平面形状であることがより好ましい。また、本体部２の底面は、使用箇所に載置可能なように平面形状であることが好ましい。
【００３５】
光源部３は、光源として２つの帽子型ＬＥＤ（ｌｉｇｈｔ  ｅｍｉｔｔｉｎｇ  ｄｉｏｄｅ）３１を備えて構成されている。帽子型ＬＥＤ３１を光源として用いることにより、光を上面部２１に効率的に照射することができるので、後述する発光部Ｈの輝度を高めることができる。また、照明装置１をどの角度から見ても、発光部Ｈが均一に見えるようにすることができる。
【００３６】
なお、本実施形態において、帽子型ＬＥＤ３１は白色の光を発するものが用いられるが、本考案においては黄色等、他の色の光を発するもの（カラーＬＥＤ等）を用いることもできるし、さらには経時的（動的）に光の色を変更させることができるＬＥＤ等を用いることもできる。光源となるＬＥＤ等の光の色を変更することにより、後述する発光部Ｈの色も変えることができる。ここで、光源は特に限定されず、例えば他の種類のＬＥＤ（発光する部分を２つ以上備えたＬＥＤ等）や、有機ＥＬ等を用いてもよい。
【００３７】
制御部４は、光源部３を構成する帽子型ＬＥＤ３１の輝度をそれぞれ別個に変化させる制御を行うことができるものであれば特に限定されない。制御部４としては、例えばこのような機能を有するマイクロ・コンピュータ等が挙げられる。これにより、炎の前後（左右）のゆらぎも再現することができ、より高精度に炎のゆらぎを再現することができる。また、輝度の変化は、例えば１／ｆゆらぎに基づき行われる。これにより、使用者の心理を穏やかにする癒しの効果を奏することができる。
【００３８】
バッテリー５は、ジャック７を介して外部から電源供給を受けて充電される。なお、本実施形態において、電源供給部として蓄電池を用いているが、本考案においてはこれに限定されず、例えば乾電池や外部電源を用いることもできる。なお、乾電池を用いる場合には、本体部２に乾電池の出入口を設ける必要があり、ろうそくのような外観（美観）を損ねる。そのため、バッテリー５として蓄電池を用いることで、乾電池の出入口等を設ける必要が無くなり、ろうそくのような外観（美観）を損なうことを防止することができる。さらに、バッテリー５として非接触充電が可能な蓄電池を用いることにより、ジャック７を設ける必要が無くなり、照明装置１の外観（美観）をより良好なものとすることができる。
【００３９】
スイッチ６は、本体部２の底面に、本体部２に対して進退可能に設けられた突出部６１を備えて構成されている。照明装置１を使用箇所に載置すると、スイッチ６が本体部２内に退避した状態となることで、照明装置１の電源がオンになり、光源部３による発光が開始される。一方、照明装置１を使用箇所から持ち上げることにより、スイッチ６が本体部２から突出することで、照明装置１の電源がオフになり、光源部３による発光が停止される。
【００４０】
また、照明装置１を使用箇所に載置した状態で所定時間経過した場合に、制御部４が照明装置１の電源をオフにし、光源部３の発光を停止する制御を行う。
【００４１】
なお、本実施形態においては進退可能なスイッチ６を本体部２の底面に設けたが、本考案においてはこれに限定されず、他のスイッチを採用することができる。例えば本体部２の底部にスライド式スイッチやマグネットスイッチ等、他の種類のスイッチを設けてもよい。または、本体部２の側面部に押しボタン式やスライド式等のスイッチを設けてもよい。ただし、本体側面部にスイッチを設けると、使用時に使用者の目につきやすく、ろうそくのような外観（美観）を損なうため、底部にスイッチを設けることが好ましい。
【００４２】
次に、上述した照明装置１の使用状態について説明する。図３は、本考案の実施形態に係る照明装置１が発光する様子を示す斜視図である。
【００４３】
照明装置１が使用箇所に載置され、スイッチ６が退避状態になると、光源部３による発光が開始される。このとき、本体部２の上面部２１の上方の空間には、光源部３から発せられる光により半球状、回転楕円体状または球形状の発光部Ｈが形成される。この発光部Ｈは、あらゆる角度から観察することができるが、側面側から見ると、まるで本当の炎のように光って見える。
【００４４】
そして、この発光部Ｈの大きさは、光源部３の輝度変化に応じて変化するので、光源部３の輝度を変化させることにより、炎のゆらぎを高精度に再現することができる。
＜実施例１＞
【００４５】
ろうで構成された円筒状の本体部内に、上面部と下面部側近傍に水平方向に２つの帽子型ＬＥＤを配置した光源部（一部が本体部の表面に露出していない光源部）と、制御部と、リチウムイオン電池を内蔵した照明装置を作製した。
【００４６】
この照明装置を発光させた時の写真を図４および図５に示す。これらの図から分かるように、照明装置の上面部の上方の空間に、半球形状、回転楕円体状または球形状の発光部が形成されることが分かった。
【００４７】
そして、光源部の輝度の変化に応じて、この発光部の大きさや輝度が変化するので、まるで本当の炎がゆらいでいるように見えることが分かった。
（実施形態２）
【００４８】
上述した実施形態１では、光源部３の帽子型ＬＥＤは、図２に示すように、本体部の上面部からの距離が等しい位置に設けられていたが、本考案はこれに限定されず、例えば図６に示すように、上面部２１からの距離がそれぞれ異なるように、帽子型ＬＥＤ３１Ａ、３１Ｂを設けるようにしてもよい。なお、光源である帽子型ＬＥＤ３１Ａ、３１Ｂ間の水平方向の距離は特に限定されない。このように照明装置を構成することにより、炎の上下のゆらぎをより正確に再現することができる。なお、本実施形態に係る照明装置１Ａは、光源部３Ａを除き、実施形態１に係る照明装置と同様の構成となっている。
（他の実施形態）
【００４９】
上述した実施形態では、本体部を樹脂材料で形成したが、本考案はこれに限定されない。例えば、ろうを含むコーティング層を本体部の表面の少なくとも一部に形成してもよい。なお、コーティング層に含まれるろう以外の成分（なくてもよい）は、照明装置の機能に影響を与えないものであれば特に限定されず、その際の本体部を構成する材料も特に限定されない。このように本体部を構成することにより、コーティング層を形成した部分については、ろうそくの手触りや質感を再現することができる。
【００５０】
また、ろうで本体部自体を形成してもよい。このように本体部を構成することにより、ろうそくの手触りや質感に加え、光の透過具合を高精度に再現することができる。
【００５１】
また、上述した実施形態においては上面部側にのみ光源部を設けたが、本考案はこれに限定されず、さらに底面側に光源部を設けてもよい。すなわち、発光方向を上面部側に向けた第１光源と、発光方向を上面部側とは反対方向の底面側に向けた第２光源を備えるように、照明装置を構成してもよい。このように照明装置を構成することにより、ろうそくの光が本体部を伝わり、下端部からも放出される様子を再現することができる。
【００５２】
さらに、本考案に係る照明装置において、光源であるＬＥＤの周辺部またはＬＥＤ内に、発光方向へ光を集光する反射板を設けてもよい。これにより、上面部上の空間に形成される発光部Ｈをより鮮明なものとすることができる。
【００５３】
また、上述した実施形態では、上面部と光源部との距離を限定しなかったが、その距離が０ｍｍ〜２０ｍｍの範囲のものが発光部の輝度を向上させることができるので好ましく、０ｍｍ〜１０ｍｍの範囲のものが発光部の輝度をより向上させることができるのでより好ましく、０ｍｍ〜５ｍｍの範囲のものが発光部の輝度をさらに向上させることができるのでさらに好ましい。
【００５４】
さらに、実施形態１に係る照明装置では、半球形状、回転楕円体状または球形状の発光部を形成するようにしたが、本考案はこれに限定されない。照明装置内の光源の配置や上面部の形状を適宜変更することにより、所定の形状の発光部を形成することができる。
【００５５】
また、上述した実施形態では、発光部が１つ形成されるように照明装置を構成したが、本考案はこれに限定されない。例えば、図７に示すように、複数の発光部Ｈ１、Ｈ２、Ｈ３が形成されるように照明装置を構成してもよい。ここで、各発光部Ｈ１、Ｈ２、Ｈ３の大きさ、色、ゆらぎ方は全く同一であってもよいし、それぞれ異なっていてもよい。なお、この照明装置１Ｂは、本体部２内の各発光部Ｈ１、Ｈ２、Ｈ３の下方に位置する部分に、３つの光源部がそれぞれ配置されていることを除き、実施形態１に係る照明装置と同様の構成となっている。
【００５６】
さらに、上述した実施形態では、本体部を円筒形状のろうそく型の照明装置を構成したが、本体部の形状はこれに限定されない。例えば本体部を直方体状に形成し、それ以外は実施形態１に係る照明装置と同様に照明装置を構成してもよい。このように照明装置を構成しても、見る者にろうそくとは違った外観の印象を与えるが、上述した実施形態に係る照明装置と同様の効果が得られる。
【符号の説明】
【００５７】
１、１Ａ、１Ｂ  照明装置
２  本体部
３、３Ａ  光源部
４  制御部
５  バッテリー
６  スイッチ
７  ジャック
２１  上面部
３１、３１Ａ、３１Ｂ  帽子型ＬＥＤ
６１  突出部
【図１】
0003231150.tif 000003
【図２】
0003231150.tif 000004
【図３】
0003231150.tif 000005
【図４】
0003231150.tif 000006
【図５】
0003231150.tif 000007
【図６】
0003231150.tif 000008
【図７】
0003231150.tif 000009